(57)【要約】【課題】入射光により室内の光量を維持し、かつ室内における人の活動に適した調光状態を得ることを可能とするブラインドおよびブラインド内蔵窓ガラスを提供する。【解決手段】この発明にかかるブラインドは、複数のスラットが垂直方向に並置されるブラインドにおいて、スラットに、透過状態および鏡面状態のいずれかの状態に可変に制御しうるエレクトロクロミック層が設けられている。そして、複数のスラットの面角度は、可変に制御することができる。また、この発明にかかるブラインド内蔵窓ガラスは、一対のガラス板が所定の間隔をおいて互いに平行に配置された状態で枠体に嵌め込まれて構成され、この発明にかかるブラインドが、一対のガラス板および枠体により形成される空間に組み込まれて配置されている。【選択図】図１
2014105494.tif 000002
【特許請求の範囲】
【請求項１】
複数のスラットが垂直方向に並置されるブラインドにおいて、
前記スラットに、透過状態および鏡面状態のいずれかの状態に可変に制御しうるエレクトロクロミック層が設けられ、
前記スラットの面角度が可変に制御される、ブラインド。
【請求項２】
前記ブラインドは、複数の前記スラットを含むように複数の領域に分割され、
前記領域毎に、前記領域における前記スラットの面角度が独立に制御される、請求項１のブラインド。
【請求項３】
前記複数の領域のうち、ある領域における前記スラットが鏡面状態で、かつ該スラットの面角度が略水平となるように制御され、他の領域における前記スラットが透過状態となるように制御される、請求項２に記載のブラインド。
【請求項４】
垂直スラットおよび水平スラットがそれぞれ交互に垂直方向に複数並置され、
前記垂直スラットおよび前記水平スラットに、透過状態および鏡面状態のいずれかの状態に可変に制御しうるエレクトロクロミック層が設けられる、ブラインド。
【請求項５】
前記垂直スラットおよび前記水平スラットは、固定して並置される、請求項４に記載のブラインド。
【請求項６】
一対のガラス板が所定の間隔をおいて互いに平行に配置された状態で枠体に嵌め込まれて構成され、
請求項１ないし請求項５に記載のブラインドが、前記一対のガラス板および前記枠体により形成される空間内に組み込まれて配置される、ブラインド内蔵複層ガラス。
【発明の詳細な説明】
【技術分野】
【０００１】
この発明は、入射光に対する光量の調整機能を備えるブラインドおよびブラインド内蔵複層ガラスに関する。
【背景技術】
【０００２】
特許文献１には、複数のスラットにより構成される調光ブラインドが開示されている。この調光ブラインドを構成する複数のスラットは、ガラス基板により構成されている。そして、ガラス基板の表面には、透過率を変更可能としたエレクトロクロミック膜が設けられている。このような調光ブラインドが、部屋の窓に対して覆うように配置され、太陽から室内に向かって入ってくる入射光が、透過率の変更可能なスラットを透過することで、この入射光の光量が調整される。
【０００３】
また、特許文献１に記載の調光ブラインドは、調光ブラインドにおいて、上部の領域における複数のスラットと下部の領域における複数のスラットとで別々の領域とし、それぞれの領域におけるスラットの透過率が異なるような制御を可能とする機能を有している。
【０００４】
したがって、特許文献１に記載の調光ブラインドによれば、領域毎に独立して透過率を可変自在に制御できるので、入射光の光量を場所により独立に設定できることから、室内において、入射光に対する透過量の調整に対する自由度の高い調光が可能である。
【先行技術文献】
【特許文献】
【０００５】
【特許文献１】特開平５−２２２８８４号公報
【発明の概要】
【発明が解決しようとする課題】
【０００６】
しかしながら、特許文献１に記載の調光ブラインドは、スラットを介して室内に入射する入射光に対する透過率を調整する制御が行われるのみであることから、この入射光の光量を減少させたい場合には、有効であるが、室内に導入される光量を減らすことなく調光することは困難である。
【０００７】
それゆえに、この発明の主たる目的は、入射光により室内の光量を維持し、かつ室内における人の活動に適した調光状態を得ることを可能とするブラインドおよびブラインド内蔵窓ガラスを提供することである。
【課題を解決するための手段】
【０００８】
この発明にかかるブラインドは、複数のスラットが垂直方向に並置されるブラインドにおいて、スラットに、透過状態および鏡面状態のいずれかの状態に可変に制御しうるエレクトロクロミック層が設けられ、スラットの面角度が可変に制御される、ブラインドである。
また、この発明にかかるブラインドは、ブラインドが、複数のスラットを含むように複数の領域に分割され、領域毎に、領域におけるスラットの面角度が独立に制御されることが好ましい。
さらに、この発明にかかるブラインドは、複数の領域のうち、ある領域におけるスラットが鏡面状態で、かつ該スラットの面角度が略水平となるように制御され、他の領域におけるスラットが透過状態となるように制御されることが好ましい。
また、この発明にかかるブラインドは、垂直スラットおよび水平スラットがそれぞれ交互に垂直方向に複数並置され、垂直スラットおよび水平スラットに、透過状態および鏡面状態のいずれかの状態に可変に制御しうるエレクトロクロミック層が設けられるブラインドである。
また、この発明にかかるブラインドは、垂直スラットおよび水平スラットが、固定して並置されるであることが好ましい。
この発明にかかるブラインド内蔵複層ガラスは、一対のガラス板が所定の間隔をおいて互いに平行に配置された状態で枠体に嵌め込まれて構成され、この発明にかかるブラインドが、一対のガラス板および枠体により形成される空間内に組み込まれて配置される、ブラインド内蔵複層ガラスである。
【０００９】
この発明にかかるブラインドによれば、複数のスラットが垂直方向に並置されるブラインドにおいて、スラットに、透過状態および鏡面状態のいずれかの状態に可変に制御しうるエレクトロクロミック層が設けられ、スラットの面角度が可変に制御されるので、透過状態としたスラットにより太陽からの入射光を透過しつつ、鏡面状態としたスラットの面角度を変化させることにより太陽光からの入射光を適切に反射することができるブラインドを得ることができる。
また、この発明にかかるブラインドは、ブラインドが、複数のスラットを含むように複数の領域に分割され、領域毎に、領域におけるスラットの面角度が独立に制御されると、太陽からの入射光の角度の変化や室内における透過光の光量について、それぞれの状況に応じて制御することで、適切な対応をとることができる。
さらに、この発明にかかるブラインドは、複数の領域のうち、ある領域におけるスラットが鏡面状態で、かつ該スラットの面角度が略水平となるように制御され、他の領域におけるスラットが透過状態となるように制御されると、鏡面状態で、かつ水平となるように制御されたスラットにより室内の天井方向に採光できるとともに、透過状態に制御されたスラットにより太陽からの入射光の光量を調光することができる。
また、この発明にかかるブラインドは、垂直スラットおよび水平スラットがそれぞれ交互に垂直方向に複数並置され、垂直スラットおよび水平スラットに、透過状態および鏡面状態のいずれかの状態に可変に制御しうるエレクトロクロミック層が設けられるブラインドであるので、垂直スラットおよび水平スラットを透過状態とするか鏡面状態とするかの制御を行うだけで、室内の調光、採光状態を変化させることができるブラインドを得ることができる。
さらに、この発明にかかるブラインドは、垂直スラットおよび水平スラットが、固定して並置されると、それらのスラットを機械的に動かす必要がないため、機械的な磨耗・劣化による故障が発生しないことから、ブラインドの寿命を延ばすことを可能とするブラインドを得ることができる。
この発明にかかるブラインド内蔵複層ガラスは、この発明にかかるブラインドを内蔵したブラインド内蔵複層ガラスであるので、太陽から室内に向かって入ってくる入射光を調光しつつ、断熱・遮音効果を得ることができ、加えて、スラット、垂直スラットおよび水平スラットの表面に埃等が付着することを防止することもできるブラインド内蔵複層ガラスを得ることができる。
【発明の効果】
【００１０】
この発明によれば、入射光により室内の光量を維持し、かつ室内における人の活動に適した調光状態を得ることを可能とするブラインドおよびブラインド内蔵窓ガラスが得られる。
【００１１】
この発明の上述の目的、その他の目的、特徴および利点は、図面を参照して行う以下の発明を実施するための形態の説明から一層明らかとなろう。
【図面の簡単な説明】
【００１２】
【図１】この発明にかかるブラインドの第１の実施の形態についての一例における斜視図解図である。
【図２】この発明にかかるブラインドの第１の実施の形態についての一例であって、このブラインドが窓に取り付けられた状態を示す断面図解図である。
【図３】この発明にかかるブラインドの第１の実施の形態についての他の例における斜視図解図である。
【図４】この発明にかかるブラインドの第１の実施の形態のついての他の例であって、このブラインドが窓に取り付けられた状態を示す断面図解図である。
【図５】この発明にかかるブラインドの第２の実施の形態についての一例における斜視図解図である。
【図６】この発明にかかるブラインドの第２の実施の形態についての一例であって、このブラインドが窓に取り付けられた状態を示す断面図解図である。
【図７】この発明にかかるブラインドが内蔵された複層ガラスの実施の形態の一例であって、このブラインド内蔵複層ガラスが壁の一部に建てこまれた状態を示す断面図解図である。
【発明を実施するための形態】
【００１３】
本発明にかかるブラインドの第１の実施の形態についての一例について説明する。図１は、発明にかかるブラインドの第１の実施の形態についての一例における斜視図解図であり、図２は、この発明にかかるブラインドの第１の実施の形態についての一例であって、このブラインドが窓に取り付けられた状態を示す断面図解図である。
【００１４】
図１および図２に示されるブラインド１０は、たとえば、窓３０に取り付けられることによって使用される。このようなブラインド１０が取り付けられる窓３０は、たとえば、ガラス板３２、ならびにガラス板３２を固定するための上框体３４、下框体３６および縦框（図示せず）により構成され、壁４０の一部に建てこまれて形成される。したがって、ブラインド１０は、少なくとも、窓３０におけるガラス板３２が覆われるように取り付けられる。
【００１５】
ブラインド１０は、窓３０の上框体３４に固着されるヘッドボックス１２を備えている。そして、ヘッドボックス１２から下方へ、複数のスラット１４が配置され、その下端にボトムレール１６を備えている。したがって、複数のスラット１４が、垂直方向に並置されている。ブラインド１０が窓３０に取り付けられた場合、ボトムレール１６は、窓３０の下框体３６の上端付近に位置している。また、ヘッドボックス１２の一方端とボトムレール１６の一方端とが、およびヘッドボックス１２の他方端とボトムレール１６の他方端とが、それぞれ昇降コード１８，１８によって支持され、ヘッドボックス１２とボトムレール１６とが平行に保持されている。
【００１６】
スラット１４は、たとえば、板状の透明ガラスで形成され、そのスラット１４の表面にエレクトロクロミック層２０が設けられている。スラット１４は、一般的なブラインドのスラットと同様に、スラット１４の側面視垂直から水平まで、スラット１４の面角度が変化可能に配置される。このスラット１４を垂直な面角度とするとブラインド１０は閉状態となり、スラット１４を水平な面角度とすると、ブラインド１０は開状態となる。このようなスラット１４の面角度を変化させることにより開状態や閉状態とするための動作は、スラット１４に取り付けられた紐（図示せず）による手動により動作させることができる。あるいは、スラット１４を開状態や閉状態とするための動作は、たとえば、スラット１４を駆動するための駆動モータ（図示せず）、およびスラット１４の面角度の制御を実行するための制御部（図示せず）を備え、明るさをセンサ（図示せず）により検知することで得られるセンサ情報等を基づいて制御部からの制御信号を算出し、その算出された制御信号に基づいて駆動モータを駆動することにより自動的にスラット１４の面角度を動作させることができる。
【００１７】
上述したように、スラット１４の表面にエレクトロクロミック層２０が設けられている。このエレクトロクロミック層２０は、電圧を印加することで、透過状態あるいは鏡面状態の２状態に制御可能である。また、透過状態に制御されているエレクトロクロミック層２０は、透過率が変化するように制御することもできることから、室内に透過する入射光の光量を調整することができる。
【００１８】
上述したような制御を可能とするスラット１４に設けられているエレクトロクロミック層２０は、以下のように作製することができる。すなわち、エレクトロクロミック層２０の材料として、ＡｇＮＯ3（硝酸銀）を５０ｍＭ、支持電解質としてＴＢＡＢｒ（テトラブチルアンモニウム臭化物）を２５０ｍＭ、メディエーターとしてＣｕＣｌ2（塩化銅（ＩＩ））を１０ｍＭの濃度で準備し、それらをＤＭＳＯ（ジメチルスルホキシド）に溶解させることで、エレクトロクロミック溶液が調製される。そして、このエレクトロクロミック溶液にゲル化剤としてポリビニルブチラール（１０ｗｔ％）を加えることでゲル電解質が調製される。この調製されたゲル電解質を、５００μｍスペーサーを介して平滑ＩＴＯ電極（作用極）とＩＴＯ粒子修飾電極（対極）の間に挟み込むことによって２極セルを作製することで、エレクトロクロミック層２０が作製される。
このエレクトロクロミック層２０では、その作用極および対極間に印加する直流電圧の大きさを変えることによって、透過状態および鏡面状態のいずれかの状態に可変に制御しうる。
なお、このエレクトロクロミック層２０は、スラット１４を形成する透明ガラスに内蔵して設けられてもよい。
【００１９】
また、ブラインド１０は、上述したように、複数のスラット１４から構成されている。そして、ブラインド１０は、ブラインド１０の上部側に位置する第１の領域２２における複数のスラット１４とブラインド１０の下部側に位置する第２の領域２４における複数のスラット１４とに分割されており、第１の領域２２における複数のスラット１４および第２の領域２４における複数のスラット１４がそれぞれの領域毎に異なる制御が可能である。各領域において行われる制御は、たとえば、スラット１４の面角度を領域毎に独立して垂直あるいは水平となるように制御することができる。また、スラット１４の状態を領域毎に独立して透過状態あるいは鏡面状態となるように制御することができる。たとえば、第１の領域２２のスラット１４のエレクトロクロミック層２０が透過状態となるように制御し、第２の領域２４のスラット１４のエレクトロクロミック層２０が鏡面状態となるように制御することができる。このブラインド１０におけるスラット１４の領域の分割は、上述したように、上下方向に２分割でもよく、さらに上下左右に４分割に分割したりするようにしたり、さらに細かく複数の領域に分割したりしてもよい。そうすることで、さらに、部分的な遮光、採光が実現できる。
【００２０】
図１は、ブラインド１０の第１の実施の形態についての一例であり、ブラインド１０の上部側の第１の領域２２と、ブラインド１０の下部側の第２の領域２４とに２分割された構成のブラインド１０を示している。また、図２は、図１に示すブラインド１０を窓３０に取り付けられた状態を示した断面図解図である。
【００２１】
図１および図２に記載されるブライド１０において、第１の領域２２における複数のスラット１４は、各スラット１４の面角度が垂直となるように制御され、かつ、エレクトロクロミック層２０が透過状態となるように制御された状態を示している。室外から室内に向かって入ってくる太陽からの入射光Ｉが、ブラインド１０の第１の領域２２に入射されると、この第１の領域２２のスラット１４は透過状態であることから制御された透過率に応じた透過光Ｔとなり、室内の高い位置まで、入射光Ｉが入り込むようになる。
【００２２】
一方、図１および図２に記載されるブラインド１０において、第２の領域２４における複数のスラット１４は、各スラット１４の面角度が水平となるように制御され、かつ、エレクトロクロミック層２０が鏡面状態となるように制御された状態を示している。室外から室内に向かって入ってくる太陽からの入射光Ｉが、ブラインド１０の第２の領域２４に入射されると、この第２の領域２４のスラット１４が鏡面状態であることから、その鏡面状態のスラット１４に入射した入射光Ｉは、室内の天井に向かう反射光Ｒとなり、室内を明るくすることができる。従って、室内に侵入してくる入射光Ｉの光量を制御しつつ、室内全体の明るさを維持することができる。
【００２３】
なお、図１および図２に示されるブラインド１０においては、第１の領域２２において垂直となるように制御された複数のスラット１４は、透過状態に制御しているので、室外から室内への太陽からの直接的な入射光Ｉの侵入を防止した上で、第２の領域２４において鏡面状態で、かつ水平となるように制御された複数のスラット１４に入射した入射光Ｉは、室内の天井に向かう反射光Ｒとなるので、この天井方向への反射光Ｒにより、室内全体の明るさを維持することができる。
【００２４】
次に、この発明にかかるブラインドの第１の実施の形態についての他の例について説明する。図３は、この発明にかかるブラインドの第１の実施の形態についての他の例における斜視図解図であり、図４は、この発明にかかるブラインドの第１の実施の形態についての他の例であって、このブラインドが窓に取り付けられた状態を示す断面図解図である。
【００２５】
図３および図４に示されるブラインド１０についても、図１および図２と同様に、ブラインド１０の上部側の第１の領域２２と、ブラインド１０の下部側の第２の領域２４とに２分割された構成のブラインド１０を示している。
【００２６】
図３および図４に記載されるブラインド１０において、第１の領域２２における複数のスラット１４は、各スラット１４の面角度が水平となるように制御され、かつ、エレクトロクロミック層２０が鏡面状態となるように制御された状態を示している。室外から室内に向かって入ってくる太陽からの入射光Ｉが、ブラインド１０の第１の領域２２に入射されると、この第１の領域２２における複数のスラット１４が鏡面状態であることから、その鏡面状態のスラット１４に入射した入射光Ｉは、室内の天井に向かう反射光Ｒとなる。
【００２７】
一方、図３および図４に記載されるブラインド１０において、第２の領域２４における複数のスラット１４は、各スラット１４の面角度が垂直となるように制御され、かつ、エレクトロクロミック層２０が透過状態となるように制御された状態を示している。室外から室内に向かって入ってくる太陽からの入射光Ｉが、ブラインド１０の第２の領域２４に入射されると、この第２の領域２４における複数のスラット１４は透過状態であることから制御された透過率に応じた透過光Ｔとなり、室内の下方側に対する採光が可能となる。
【００２８】
図３および図４に示されるブラインド１０も図１および図２に示されるブラインド１０と同様に、第１の領域２２において鏡面状態で、かつ水平となるように制御された複数のスラット１４に入射した入射光Ｉは、室内の天井に向かう反射光Ｒとなるので、この天井方向への反射光Ｒにより、室内全体の明るさを維持しつつ、第２の領域２４において垂直となるように制御された複数のスラット１４は、透過状態に制御しているので、室外から室内への太陽からの直接的な入射光Ｉの侵入を防止することができる。
【００２９】
従来のブラインドでは、室内における天井方向への光の取り込みが難しく、ブラインドを介して太陽からの入射光により部屋全体の明るさを得ることは困難であった。しかしながら、第１の実施の形態にかかるブラインド１０によれば、鏡面状態に制御されたスラット１４を水平となるように制御することで、太陽からの入射光を天井方向へ反射させることが可能となることから、室内の天井方向への採光が可能となり、室内における照明の補助装置として、省エネルギー性を向上することが期待できる。
【００３０】
また、第１の実施の形態にかかるブラインド１０によれば、入射光Ｉを透過率の制御可能なエレクトロクロミック層２０が設けられたスラット１４を透過させることができるので、日射取得量の調整が可能であることから、熱線による室内の温度上昇を防ぐことができ、その結果、冷房電力の低減などの省エネルギー効果が期待できる。
【００３１】
さらに、第１の実施の形態にかかるブラインド１０によれば、図１ないし図４に示すように、ブラインド１０の領域を２分割した場合、第１の領域２２および第２の領域２４における複数のスラット１４を水平あるいは垂直となるように制御したり、透過状態あるいは鏡面状態となるように制御したりすることができることから、太陽からの入射光Ｉの角度の変化や室内における透過光Ｔの光量について、それぞれの状況に応じて制御することで、適切な対応をとることができる。たとえば、図１ないし図４に示すようなブラインド１０の使用方法以外にも、第１の領域２２および第２の領域２４のいずれのスラット１４のすべてを水平となるように制御し、かつ鏡面状態となるように制御することで、太陽からの入射光Ｉをすべて反射光Ｒとすることができ、室内の天井方向への採光をより多くすることができる。
【００３２】
また、第１の実施の形態にかかるブラインド１０によれば、室内において人が活動する領域にさらに光が欲しい場合、あるいは、直接光を避けたい場合など、天井方向からの光散乱によりある程度の部屋の明るさを確保した状態で、光の取り込みを任意に変えることができる。なお、室内の天井部には、任意であるが、取り込んだ光を散乱させることのできるミラーなどを配置すると、より部屋の明るさを確保する効果が期待される。
【００３３】
次に、この発明にかかるブラインドの第２の実施の形態についての一例について説明する。図５は、この発明にかかるブラインドの第２の実施の形態についての一例における斜視図解図である。図６は、この発明にかかるブラインドの第２の実施の形態についての一例であって、このブラインドが窓に取り付けられた状態を示す断面図解図である。
【００３４】
図５および図６に示されるブラインド１１０は、たとえば、窓３０に取り付けられることによって使用される。このようなブラインド１１０が取り付けられる窓３０は、たとえば、ガラス板３２、ならびにガラス板３２を固定するための上框体３４、下框体３６および縦框（図示せず）により構成され、壁４０の一部に立て込まれて形成される。したがって、ブラインド１１０は、少なくとも、窓３０におけるガラス板３２が覆われるように取り付けられる。
【００３５】
ブラインド１１０は、窓３０の上框体３４に固着されるヘッドボックスを備えている。そして、ヘッドボックス１２から下方へ、垂直スラット１４ａと水平スラット１４ｂがそれぞれ交互に複数並置され、その下端にボトムレール１６を備えている。したがって、複数の垂直スラット１４ａおよび水平スラット１４ｂにより構成される組は、垂直方向に並置されている。ブラインド１１０が窓３０に取り付けられた場合、ボトムレール１６は、窓３０の下框体３６の上端付近に位置している。また、ヘッドボックス１２の一方端とボトムレールの一方端とが、およびヘッドボックス１２の他方端とボトムレール１６の他方端とが、それぞれ昇降コード１８，１８によって支持され、ヘッドボックス１２とボトムレール１６とが平行に保持されている。
【００３６】
垂直スラット１４ａおよび水平スラット１４ｂは、上述したように、交互に配置されており、側面視が逆Ｔ字状あるいはＴ字状に構成され、このように逆Ｔ字状に構成された複数の垂直スラット１４ａおよび水平スラット１４ｂの組が配置されている（図５および図６を参照）。そして、これら垂直スラット１４ａおよび水平スラット１４ｂの各面角度は、可変ではなく、それぞれ固定されて配置されている。
【００３７】
また、垂直スラット１４ａおよび水平スラット１４ｂは、たとえば、それぞれ、板状の透明ガラスで形成される。そして、この垂直スラット１４ａおよび水平スラット１４ｂの表面にエレクトロクロミック層２０が設けられている。また、このエレクトロクロミック層２０は、電圧を印加することで、透過状態あるいは鏡面状態の２状態に制御可能である。そして、たとえば、垂直スラット１４ａおよび水平スラット１４ｂとそれぞれ独立に透過状態あるいは鏡面状態のいずれかの状態に制御可能である。透過状態に制御されているエレクトロクロミック層２０は、透過率が変化するように制御することもできることから、室内に透過する入射光の光量を調整することができる。
【００３８】
なお、上述したような制御を可能とする垂直スラット１４ａおよび水平スラット１４ｂに設けられているエレクトロクロミック層２０は、第１の実施の形態と同様の方法で作製される。
このエレクトロクロミック層２０では、その作用極および対極間に印加する直流電圧の大きさを変えることによって、透過状態および鏡面状態のいずれかの状態に可変に制御しうる。
なお、このエレクトロクロミック層２０は、垂直スラット１４ａおよび水平スラット１４ｂを形成する透明ガラスに内蔵して設けられてもよい。
【００３９】
続いて、垂直スラット１４ａおよび水平スラット１４ｂに設けられるエレクトロクロミック層２０の各スラットに対する制御について説明する。
【００４０】
図６は、この発明にかかるブラインド１１０の第２の実施の形態についての一例であって、このブラインド１１０が窓３０に取り付けられた状態を示す断面図解図であり、垂直スラット１４ａを透過状態とし、水平スラット１４ｂを鏡面状態となるように制御した状態を示している。この場合では、垂直スラット１４ａが透過状態のため、室外から室内に向かって入ってくる太陽からの入射光Ｉが垂直スラット１４ａに入射されると制御された透過率に応じた透過光Ｔとなり、室内の下方側に対する採光が可能となる。一方、水平スラット１４ｂは鏡面状態のため、室外から室内に向かって入ってくる太陽からの入射光Ｉが水平スラット１４ｂで反射することで室内の天井に向かう反射光Ｒとなる。したがって、垂直スラット１４ａを透過状態とし、水平スラット１４ｂを鏡面状態とすることで、室内の明るさを得ることができる。
【００４１】
次に、垂直スラット１４ａを鏡面状態とし、水平スラット１４ｂを鏡面状態あるいは透過状態となるように制御した場合について説明する。この場合では、垂直スラット１４ａが鏡面状態であるため、室外から室内に向かって入ってくる太陽からの入射光Ｉを垂直スラット１４ａにより反射することで、遮光することができる。なお、垂直スラット１４ａおよび水平スラット１４ｂを隙間無く配置することで、垂直スラット１４ａおよび水平スラット１４ｂの隙間から、入射光Ｉが室内に入ってくることを防止することができ、よりブラインド１１０による遮光効果を高めることができる。
【００４２】
次に、垂直スラット１４ａを透過状態とし、水平スラット１４ｂを透過状態となるように制御した場合について説明する。この場合は、垂直スラット１４ａおよび水平スラット１４ｂ共に透過状態であるため、室外から室内に向かって入ってくる太陽からの入射光Ｉを遮光することなく室内に透過させることができる。このような制御は、ブラインド１１０による遮光効果を必要としない場合に行われる。
【００４３】
また、ブラインド１１０は、上述したように、複数の組からなる垂直スラット１４ａと水平スラット１４ｂとから構成されている。そして、ブラインド１１０は、ブラインド１１０の上部側に位置する第１の領域２２における複数の組からなる垂直スラット１４ａおよび水平スラット１４ｂとブラインド１１０の下部側に位置する第２の領域２４における複数の組からなる垂直スラット１４ａと水平スラット１４ｂに分割されており、第１の領域２２における複数の組からなる垂直スラット１４ａと水平スラット１４ｂおよび第２の領域２４における複数の組からなる垂直スラット１４ａと水平スラット１４ｂがそれぞれの領域毎に異なる制御が可能である。たとえば、第１の領域２２における複数の組からなる垂直スラット１４ａと水平スラット１４ｂのエレクトロクロミック層２０が透過状態となるように制御し、第２の領域２４における複数の組からなる垂直スラット１４ａと水平スラット１４ｂのエレクトロクロミック層２０が鏡面状態となるように制御することができる。このブラインド１１０におけるスラット１４の領域の分割は、上述したように、上下方向に２分割でもよく、さらに上下左右に４分割に分割したりするようにしたり、さらに細かく複数の領域に分割したりしてもよい。そうすることで、さらに、部分的な遮光、採光が実現できる。
【００４４】
この第２の実施の形態にかかるブラインド１１０は、上述のブラインド１０と同様の効果を奏するとともに、次の効果も奏する。
すなわち、第２の実施の形態にかかるブラインド１１０によれば、垂直スラット１４ａおよび水平スラット１４ｂのそれぞれの表面に設けられたエレクトロクロミック層２０に対して透過状態あるいは鏡面状態に変えるように制御するだけで、室内の調光、採光状態を変えることができることから、垂直スラット１４ａおよび水平スラット１４ｂを機械的に動かす必要がない。したがって、垂直スラット１４および水平スラット１４ｂが固定されておりそれらを機械的に動かす必要がないため、機械的な摩耗・劣化による故障が発生しないことから、ブラインド１１０はメンテナンス性に優れ、その寿命を延ばすことができる。
【００４５】
次に、本発明にかかるブラインドが内蔵されたブラインド内蔵複層ガラスについて説明する。図７は、この発明にかかるブラインドが内蔵された複層ガラスの実施の形態の一例であって、このブラインド内蔵複層ガラスが壁の一部に建てこまれた状態を示す断面図解図である。
【００４６】
ブラインド内蔵複層ガラス５０は、壁４０の一部に建てこまれて形成される。ブラインド内蔵複層ガラス５０は、たとえば、一対のガラス板５２，５４が所定の間隔をおいて互いに平行に配置された状態で、枠体である上框体３４、下框体３６および縦框（図示せず）に嵌め込まれることにより構成されている。ガラス板５２は室外側に配置され、ガラス５４は室内側に配置される。そして、ガラス板５２およびガラス板５４ならびに枠体により形成される空間内にはブラインド１０，１１０が組み込まれて配置される。
【００４７】
このブラインド内蔵複層ガラス５０は、上述のブラインド１０，１１０と同様の効果を奏するとともに、次の効果も奏する。
すなわち、ブラインド内蔵複層ガラス５０によれば、ブラインド１０，１１０によって、太陽から室内に向かって入ってくる入射光を調光しつつ、断熱・遮音効果を得ることができる。また、ブラインド内蔵複層ガラス５０によれば、ブラインド１０，１１０が一対のガラス板５２，５４および枠体により形成された空間に内蔵されているので、スラット１４、垂直スラット１４ａおよび水平スラット１４ｂの表面に埃等が付着することを防止することができる。
【００４８】
また、複層ガラス内に配置された状態のブラインドは、そのメンテナンスが困難であるところ、ブラインド１１０は、垂直スラット１４ａおよび水平スラット１４ｂが固定されているので、可動部分がないことから、それぞれのスラットの可動に対するメンテナンスが必要ないため、ブラインド内蔵複層ガラス５０に組み込まれて配置されるブラインドとして特に適している。
【００４９】
なお、上述の実施の形態にかかるブラインドにおいては、複数のスラットを含むように上下方向に２つの領域に分割されているが、これに限るものではなく、各領域において複数のスラットを含むように上下左右に４分割に分割したりするようにしてもよく、さらに複数の領域に分割してもよい。
【００５０】
また、第２の実施の形態のブラインドにおいては、側面視Ｔ字状に構成されているが、これに限るものではなく、板状に形成された水平スラットの長手方向における一方端辺あるいは他方端辺上に垂直スラットを配置させることで、側面視Ｌ字状に構成されてもよい。
【００５１】
また、第２の実施の形態のブラインドにおいては、垂直スラットの面角度のみを可変とし、鏡面状態で使用する場合に、反射光を上下方向に変化させることで、反射光による光害を防止するようにしてもよい。
【００５２】
また、上述の実施の形態にかかるブラインド内蔵複層ガラスは、壁の一部に建てこまれて形成されているが、これに限るものではなく、このブラインド内蔵複層ガラスは、スライドすることによって開閉可能とした複数の窓枠に組み込まれて使用してもよい。
【産業上の利用可能性】
【００５３】
この発明にかかるブラインドは、たとえば、建物の窓を覆うように取り付けられることで、入射光による室内の光量を維持しつつ直接的な入射光を遮ることによって、人の活動を維持するのに適切な調光状態を実現できるブラインドとして好適に用いられる。
【符号の説明】
【００５４】
１０、１１０  ブラインド
１２  ヘッドボックス
１４  スラット
１４ａ  垂直スラット
１４ｂ  水平スラット
１６  ボトムレール
１８  昇降コード
２０  エレクトロクロミック層
２２  第１の領域
２４  第２の領域
３０  窓
３２、５２、５４  ガラス板
３４  上框体
３６  下框体
４０  壁
５０  ブラインド内蔵複層ガラス
Ｉ  入射光
Ｔ  透過光
Ｒ  反射光
【図１】
2014105494.tif 000003
【図２】
2014105494.tif 000004
【図３】
2014105494.tif 000005
【図４】
2014105494.tif 000006
【図５】
2014105494.tif 000007
【図６】
2014105494.tif 000008
【図７】
2014105494.tif 000009